(57)【要約】  【課題】  上下のアース端子を周方向に回転させることなく積み重ねる。積層数が多くなっても電線圧着部の開き角度が大きくならないようにする。  【解決手段】  環状の接続板部2と電線圧着部4を有する同一形状のアース端子1を積み重ねて使用する。接続板部1の外周縁の、電線圧着部4から90°離れた位置に、ボルト穴3を挟んで対向する一対の門形起立片5、5を形成する。一対の門形起立片から時計回りに同じ角度だけ離れた位置に一対の突片7A、7Aを、反時計回りに同じ角度だけ離れた位置にもう一対の突片7B、7Bを形成する。下側のアース端子１の一対の門形起立片5、5の間に上側のアース端子1の一対の突片7A、7A（7B、7B）を押し込むと、門形起立片が外側へ弾性変形した後、元の位置に復帰して突片の抜け出しを防止する。接続板部2に、その上に積み重ねられた他のアース端子の接続板部を押し上げる方向の弾性反発力を発揮する弾性片8が設けられている。【選択図】    図４
2006012608.tif 000002
【特許請求の範囲】
【請求項１】
中心にボルト穴を有する環状の接続板部と、この接続板部の外周縁から突出する電線圧着部とを有し、同一形状の他のアース端子と接続板部を積み重ねて使用される積み重ね型アース端子であって、
前記接続板部の外周縁の、前記電線圧着部から周方向に離れた位置に、ボルト穴の中心軸線を挟んで対向するように一対の門形起立片を形成すると共に、この一対の門形起立片から時計回りに同じ角度だけ離れた位置に前記接続板部の外周縁から突出する一対の突片を、反時計回りに同じ角度だけ離れた位置に前記接続板部の外周縁から突出するもう一対の突片を形成し、
前記門形起立片と突片とは、接続板部の上に他のアース端子の接続板部を積み重ねるときに、下側のアース端子の一対の門形起立片の間に上側のアース端子の一対の突片を押し込むと、突片が門形起立片を外側へ弾性変形させながら門形起立片の開口に入り、突片が門形起立片の開口に入った後は門形起立片が弾性復元力で元の位置に復帰して突片の抜け出しを防止するように形成されている、
ことを特徴とする積み重ね型アース端子。
【請求項２】
請求項１記載の積み重ね型アース端子であって、接続板部の厚さが、電線が圧着された状態での電線圧着部の最大厚さの２分の１以上に設定されていることを特徴とする積み重ね型アース端子。
【請求項３】
請求項１又は２記載の積み重ね型アース端子であって、接続板部に、その上に積み重ねられた他のアース端子の接続板部を押し上げる方向の弾性反発力を発揮する弾性片が設けられていることを特徴とする積み重ね型アース端子。
【請求項４】
請求項３記載の積み重ね型アース端子であって、接続板部は金属板の折り畳みにより３層構造になっており、門形起立片及び突片は最下層に形成され、弾性片は中間層に形成されていることを特徴とする積み重ね型アース端子。
【発明の詳細な説明】
【技術分野】
【０００１】
本発明は、同じ形状のアース端子を積み重ねて使用する積み重ね型アース端子に関するものである。
【背景技術】
【０００２】
例えば自動車の車内配線では、アース用電線の端部に取り付けられたアース端子を車体のアース端子取り付け部に固定する場合には、複数のアース端子を積み重ねて一括してボルトナットにより締め付け固定することが行われている。アース端子を積み重ねるときは、上下に隣り合うアース端子の電線圧着部が互いに接触しないようにするため、１層毎に周方向に位置をずらして積み重ねるようにしている（特許文献１、２参照）。
【０００３】
【特許文献１】特開２００２−２６０７５４号公報
【特許文献２】特開平７−２６３０５９号公報
【発明の開示】
【発明が解決しようとする課題】
【０００４】
従来の積み重ね型アース端子は、下側のアース端子の接続板部の上に上側のアース端子の接続板部を重ねた後、双方のボルト穴を中心として上下のアース端子を相対的に回転させることで、上側アース端子が下側のアース端子から浮き上がらないように結合する構成となっている。
【０００５】
しかしながら、上下のアース端子を周方向に回転させて結合する構造では、周方向にガタツキが生じやすく、積層数が多くなるにつれ、結合作業が困難になる。このため結合用の治具を必要とするなどの問題がある。
【０００６】
また従来の積み重ね型アース端子は、積層数が多くなるにつれ、最下層アース端子から最上層アース端子までの電線圧着部の開き角度が大きくなるため、積み重ねられたアース端子の設置スペースとその周りの配線スペースが大きくなるという問題もある。
【０００７】
本発明の目的は、上下のアース端子を周方向に回転させることなくアース端子を積み重ねることができ、しかも積層数が多くなっても電線圧着部の開き角度が大きくならない積み重ね型アース端子を提供することにある。
【課題を解決するための手段】
【０００８】
本発明は、中心にボルト穴を有する環状の接続板部と、この接続板部の外周縁から突出する電線圧着部とを有し、同一形状の他のアース端子と接続板部を積み重ねて使用される積み重ね型アース端子において、
前記接続板部の外周縁の、前記電線圧着部から周方向に離れた位置に、ボルト穴の中心軸線を挟んで対向するように一対の門形起立片を形成すると共に、この一対の門形起立片から時計回りに同じ角度だけ離れた位置に前記接続板部の外周縁から突出する一対の突片を、反時計回りに同じ角度だけ離れた位置に前記接続板部の外周縁から突出するもう一対の突片を形成し、
前記門形起立片と突片とは、接続板部の上に他のアース端子の接続板部を積み重ねるときに、下側のアース端子の一対の門形起立片の間に上側のアース端子の一対の突片を押し込むと、突片が門形起立片を外側へ弾性変形させながら門形起立片の開口に入り、突片が門形起立片の開口に入った後は門形起立片が弾性復元力で元の位置に復帰して突片の抜け出しを防止するように形成されている、
ことを特徴とするものである。
【０００９】
本発明に係る積み重ね型アース端子は、前記接続板部の厚さが、電線が圧着された状態での電線圧着部の最大厚さの２分の１以上に設定されていることが好ましい。
【００１０】
本発明に係る積み重ね型アース端子は、接続板部に、その上に積み重ねられた他のアース端子の接続板部を押し上げる方向の弾性反発力を発揮する弾性片が設けられているものであることが好ましい。
【００１１】
また本発明に係る積み重ね型アース端子は、接続板部が金属板の折り畳みにより３層構造になっており、門形起立片及び突片が最下層に形成され、弾性片が中間層に形成されているものであることが好ましい。
【発明の効果】
【００１２】
本発明に係るアース端子は次のように積み重ねられる。１層目のアース端子に２層目のアース端子を積み重ねるときは、１層目のアース端子の門形起立片に、２層目のアース端子の門形起立片から例えば時計方向に離れた一対の突片を上から押し込むようにして積層し、２層目のアース端子に３層目のアース端子を積層するときは、２層目のアース端子の門形起立片に、３層目のアース端子の門形起立片から反時計方向に離れた一対の突片を上から押し込むようにして積層する。４層目は２層目と同じように積層し、５層目は３層目と同じように積層する。このようにすると、奇数層のアース端子の電線圧着部は周方向の同じ位置に重なり、偶数層のアース端子の電線圧着部は前記奇数層の電線圧着部から所定角度だけ離れて周方向の同じ位置に重なるようになる。したがって積層数が多くなっても電線圧着部の開き角度が大きくなることはないため、積み重ねられたアース端子の設置スペースとその周りの配線スペースを従来よりも小さくすることができる。
【００１３】
またアース端子の電線圧着部は１層おきに周方向の同じ位置に重ねることができるが、その場合、接続板部の厚さが、電線が圧着された状態での電線圧着部の最大厚さの２分の１以上に設定されているため、上下関係にある電線圧着部が干渉しあうことはなく、アース端子を支障なく積み重ねることができる。
【００１４】
また、接続板部に前記のような弾性片を設けておけば、門形起立片の開口に入った突片が門形起立片の上辺に押し付けられるようになり、積み重ねられたアース端子のガタツキを防止できる。
【発明を実施するための最良の形態】
【００１５】
図１は本発明の一実施形態を示す。この積み重ね型アース端子１は、中心にボルト穴３を有する環状の接続板部２と、この接続板部２の外周縁から突出する電線圧着部４とを備えている。電線圧着部４はワイヤーバレル部４ａとインシュレーションバレル部４ｂとから構成される。
【００１６】
接続板部２の外周縁の、電線圧着部４の付け根から周方向にほぼ９０°離れた位置には、ボルト穴３の中心軸線を挟んで対向するように一対の門形起立片５、５が形成されている。門形起立片５は開口６を有している。また一対の門形起立片５、５から、時計回りに同じ角度だけ離れた位置には、接続板部２の外周縁から突出する一対の突片７Ａ、７Ａが形成され、かつ反時計回りに同じ角度だけ離れた位置には、接続板部２の外周縁から突出するもう一対の突片７Ｂ、７Ｂが形成されている。
【００１７】
門形起立片５、５と突片７Ａ、７Ａ（又は７Ｂ、７Ｂ）とは、同じ形状のアース端子１の接続板部２を積み重ねるときに、下側のアース端子の一対の門形起立片５、５の間に上側のアース端子の一対の突片７Ａ、７Ａを押し込むと、突片７Ａ、７Ａが門形起立片５、５を外側へ弾性変形させながら門形起立片５、５の開口６、６に入り込み、その後、門形起立片５、５が弾性復元力で元の位置に復帰して突片７Ａ、７Ａの抜け出しを防止するように形成されている。そのためには、一対の突起７Ａ、７Ａ（又は７Ｂ、７Ｂ）の先端面間寸法を、一対の門形起立片５、５の外面間寸法とほぼ同じに設定するとよい。また門形起立片５、５の上端部には、突片７Ａ、７Ａ（又は７Ｂ、７Ｂ）を上から押し込むのを容易にするため、内側に傾いた傾斜面Ｓが形成されている。
【００１８】
また接続板部２の門形起立片５、５付近には、接続板部２の上に積層される他のアース端子の接続板部を押し上げる方向に弾性反発力を発揮する弾性片８が設けられている。
【００１９】
また接続板部２の厚さｔ1は、電線が圧着された状態での電線圧着部４の最大厚さｔ2の２分の１以上に設定されている。図面では電線の図示を省略したが、アース端子１は電線圧着部４に電線を圧着した状態で積み重ねられる。接続板部２を上記のような厚さｔ1にするため、接続板部２は金属板の折り畳みにより３層構造になっている。門形起立片５、５及び突片７Ａ、７Ａ、７Ｂ、７Ｂは３層構造の最下層に形成され、弾性片８は中間層から起きあがるように形成されている。
【００２０】
以上のようなアース端子１は図２、図３のようにして製造することができる。まず金属板の打ち抜き加工、折り曲げ加工により図２のような展開品を作る。この展開品は、最下層の接続板部２ａと最上層の接続板部２ｃと中間層の接続板部２ｂがこの順で連結部９ａ、９ｂにより連結され、最下層の接続板部２ａに電線圧着部４と、一対の門形起立片５、５と、二対の突片７Ａ、７Ａ、７Ｂ、７Ｂが形成され、中間層の接続板部２ｂに弾性片８が形成されているものである。弾性片８は接続板部２ｂの周辺を斜めに切り起こすことにより形成されている。この展開品を図３のように、まず連結部９ｂを折り畳んで接続板部２ｂと２ｃを重ね合わせ、次に連結部９ａを折り畳んで接続板部２ａの上に２ｂ、２ｃを重ね合わせる。最後に門形起立片５、５を直角に折り曲げれば、図１のようなアース端子１が得られる。
【００２１】
図４及び図５は図１のアース端子１を多数積み重ねた状態を示す。アース端子１を積み重ねる場合には、１層目のアース端子１の門形起立片５、５に、２層目のアース端子１の門形起立片５、５から例えば時計方向に離れた一対の突片７Ａ、７Ｂを上から押し込むようにして積層し、２層目のアース端子１の上に３層目のアース端子１を積層するときは、２層目のアース端子１の門形起立片５、５に、３層目のアース端子１の門形起立片５、５から反時計方向に離れた一対の突片７Ａ、７Ｂを上から押し込むようにして積層する。４層目は２層目と同じように積層し、５層目は３層目と同じように積層する。
【００２２】
これにより、奇数層のアース端子１の電線圧着部４は周方向の同じ位置に重なり、偶数層のアース端子１の電線圧着部４も、奇数層の電線圧着部４から所定角度（突片７Ａ、７Ａと７Ｂ、７Ｂの開き角の２分の１）だけ離れて周方向の同じ位置に重なることになる。したがって積層数が多くなっても電線圧着部４の開き角度が大きくなることはなく、積み重ねられたアース端子１の設置スペースとその周りの配線スペースを従来よりも小さくすることができる。
【００２３】
またアース端子１の電線圧着部４は１層おきに周方向の同じ位置に重なることになるが、接続板部２の厚さは、電線が圧着された状態での電線圧着部４の最大厚さの２分の１以上に設定されているため、上下関係にある電線圧着部が干渉しあうことはない。
なお、本実施形態では、１層おきに周方向の同じ位置に重なるようにしたが、これに限定されることなく、２層おき以上とすることもできる。
【００２４】
またアース端子を積み重ねるときに、下側のアース端子の門形起立片５、５に、上側のアース端子の突片７Ａ、７Ａ（又は７Ｂ、７Ｂ）を、開口部６、６に突片７Ａ、７Ａが入り込むまで押し込むと、下側のアース端子の弾性片８が中間層の接続板部と同じレベルまで弾性変形し、その反発力で上側のアース端子の接続板部２を押し上げようとするため、突片７Ａ、７Ａが門形起立片５、５の上辺に押し付けられ、上下のアース端子のガタツキを防止できる。
【図面の簡単な説明】
【００２５】
【図１】本発明に係る積み重ね型アース端子の一実施形態を示す、（Ａ）は斜視図、（Ｂ）は平面図、（Ｃ）は側面図、（Ｄ）は正面図。
【図２】図１の積み重ね型アース端子を展開した状態で示す、（Ａ）は背面図、（Ｂ）は平面図、（Ｃ）は側面図。
【図３】図２の展開品を折り畳んで図１のアース端子を作る方法を示す説明図。
【図４】図１のアース端子を多数積み重ねた状態を示す斜視図。
【図５】図１のアース端子を多数積み重ねた状態を示す、（Ａ）は平面図、（Ｂ）は左側面図、（Ｃ）は右側面図、（Ｄ）は正面図。
【符号の説明】
【００２６】
１：積み重ね型アース端子
２：接続板部
３：ボルト穴
４：電線圧着部
４ａ：ワイヤーバレル部
４ｂ：インシュレーションバレル部
５、５：一対の門形起立片
６：開口
７Ａ、７Ａ：一対の突片
７Ｂ、７Ｂ：もう一対の突片
８：弾性片
９ａ、９ｂ：連結部
【図１】
2006012608.tif 000003
【図２】
2006012608.tif 000004
【図３】
2006012608.tif 000005
【図４】
2006012608.tif 000006
【図５】
2006012608.tif 000007